(57)【要約】【課題】多軸の展開機構を備えるストロボ装置において、展開・収納時に電気配線に与える屈曲負荷を低減させた防滴機構を提供すること。【解決手段】発光ユニットを保持する保持部材を備え、前記保持部材が収納／展開位置に移動可能であり、撮像装置本体に保持された第１軸と、前記保持部材に保持された第２軸とを連結する１つ以上のリンク部材から成るリンク機構を備え、前記保持部材には前記発光ユニットに接続された電気配線が通過する開口が設けられた撮像装置において、前記保持部材と連結された第１のリンク部材は前記第２軸と一体的に固定され、前記第２軸にはシャッター部材が一体的に固定され、前記電気配線は前記開口において前記保持部材と前記シャッター部材との間を通過し、前記開口における前記保持部材と前記シャッター部材との間隔は、前記保持部材が収納位置に位置する時よりも展開位置に位置する時の方が狭いことを特徴とする。【選択図】図１
2017125980.tif 000002
【特許請求の範囲】
【請求項１】
発光ユニット（８）を備え、
前記発光ユニット（８）を保持する保持部材（９）を備え、
前記保持部材（９）が収納位置および展開位置の２つの位置に移動可能であり、
撮像装置本体（１）に保持された第１軸（４）と、前記保持部材（９）に保持された第２軸（６）とを連結する１つ以上のリンク部材から構成される多節リンク機構を備え、
前記保持部材（９）には前記発光ユニット（８）に接続された電気配線（１０）が通過する開口が前記第２軸（６）の近傍に設けられた撮像装置において、
前記第２軸（６）を介して前記保持部材（９）と連結された第１のリンク部材（５）は前記第２軸（６）と一体的に固定され、
前記第２軸（６）にはシャッター部材（１４）が一体的に固定され、
前記電気配線（１０）は前記開口において前記保持部材（９）と前記シャッター部材（１４）との間を通過し、
前記開口における前記保持部材（９）と前記シャッター部材（１４）との間隔は、前記保持部材（９）が収納位置に位置する時よりも展開位置に位置する時の方が狭いことを特徴とする撮像装置。
【請求項２】
前記シャッター部材（１４）の前記第２軸（６）の軸方向の大きさは前記電気配線（１０）が配設される前記第２軸（６）の軸方向の範囲よりも広く、
前記保持部材（９）が展開位置に位置する時、前記シャッター部材（１４）は前記第２軸（６）の軸方向で前記電気配線（１０）が配設される範囲の外側において、前記保持部材（９）と接触することを特徴とする請求項１に記載の撮像装置。
【請求項３】
前記シャッター部材（１４）は弾性部材で形成されること特徴とする請求項１又は請求項２に記載の撮像装置。
【発明の詳細な説明】
【技術分野】
【０００１】
本発明は、ストロボ装置を備える撮像装置に関し、特にストロボ装置の発光部が収納位置と発光位置の２つ位置に移動可能である撮像装置に関する。
【背景技術】
【０００２】
従来、デジタルカメラのような撮像装置においては、撮影のための補助発光を行うストロボ装置を備えるのが一般的である。そのような撮像装置においては、画角に投光されるストロボの光が鏡筒や装置本体によって部分的に遮られてしまうといった問題がある。
【０００３】
そのため、そのような撮像装置の中には、非発行時には発光部をコンパクトに収納しているが、発光時には発光部をレンズ中心から離れた位置に展開させて発光の遮蔽を抑えることのできる、ストロボ展開機構を備えるものがある。
【０００４】
上記のような撮像装置の中には、多軸のリンク機構によって展開する機構が知られている（特許文献１）。
【先行技術文献】
【特許文献】
【０００５】
【特許文献１】特開２０１５−１１８３１９号公報
【発明の概要】
【発明が解決しようとする課題】
【０００６】
このような多軸の展開機構においては、発光部への電力供給は発光部に接続したフレキシブル基板によって行うのが一般的である。もし、このようなカメラにおいて防滴性能が必要とされる場合には、発光部を保持する発光部保持部内に水滴が侵入して発光部の電気端子に水滴が接触しないようにすることが必要である。そのために、発光部保持部に設けられたフレキシブル基板の開口を出来るだけ狭くして、開口でフレキシブル基板を狭持する必要がある。
【０００７】
ところで、このような多軸の展開機構においては発光部保持部の回動軸とフレキシブル基板の開口が近接して設けられるのが常であるので、ストロボの展開・収納動作時にはフレキシブル基板が開口近傍で伸展・屈曲される。そのため、フレキシブル基板を開口で狭持してしまうと、フレキシブル基板の動きが固定されてしまうため、ストロボの展開・収納動作時には開口のピンポイントでフレキシブル基板の伸展・屈曲が行われることになる。そうすると、フレキシブル基板の開口部近傍の部分のみが疲労し、破断しやすくなってしまうといった問題がある。
【０００８】
本発明の目的は、多軸の展開機構を備えるストロボ装置において、展開・収納時にフレキシブル基板に与える屈曲負荷を低減させた防滴機構を実現した撮像装置を提供することにある。
【課題を解決するための手段】
【０００９】
上記の目的を達成するために、本発明に係る撮像装置は、
発光ユニットを備え、
前記発光ユニットを保持する保持部材を備え、
前記保持部材が収納位置および展開位置の２つの位置に移動可能であり、
撮像装置本体に保持された第１軸と、前記保持部材に保持された第２軸とを連結する１つ以上のリンク部材から構成される多節リンク機構を備え、
前記保持部材には前記発光ユニットに接続された電気配線が通過する開口が前記第２軸の近傍に設けられた撮像装置において、
前記第２軸を介して前記保持部材と連結された第１のリンク部材は前記第２軸と一体的に固定され、
前記第２軸にはシャッター部材が一体的に固定され、
前記電気配線は前記開口において前記保持部材と前記シャッター部材との間を通過し、
前記開口における前記保持部材と前記シャッター部材との間隔は、前記保持部材が収納位置に位置する時よりも展開位置に位置する時の方が狭いことを特徴とする。
【発明の効果】
【００１０】
本発明によれば、多軸の展開機構を備えるストロボ装置において、展開・収納時にフレキシブル基板に与える屈曲負荷を低減させた防滴機構を実現した撮像装置を提供することができる。
【図面の簡単な説明】
【００１１】
【図１】本実施形における、ストロボユニットの収納・展開状態におけるフレキシブル基板開口近傍の断面図
【図２】本実施形における、ストロボ収納時、および展開時の状態を示す撮像装置本体の外観斜視図
【図３】本実施形における、ストロボユニットの展開状態を示す、前面斜視図及び背面斜視図
【図４】本実施形における、ストロボユニットの展開状態および収納状態を示す、断面図
【図５】本実施例における、シャッター部材の斜視図およびストロボの展開状態における断面図
【発明を実施するための形態】
【００１２】
以下、本発明の実施の形態を図面に基づいて説明する。
【００１３】
図２は本発明の実施の形態に係る撮像装置の外観斜視図であり、図２（ａ）はストロボを収納した状態、図２（ｂ）はストロボを展開した状態を示すものである。
【００１４】
カメラ本体１の側面には解除レバー３が設けられており、図２（ａ）の状態でユーザーが解除レバー３を操作することで、ストロボユニット２のロックが解除されてストロボユニット２が本体上面の開口部から突出（ポップアップ）し、図２（ｂ）の状態となる。
【００１５】
次にストロボユニットの構成について説明する。
【００１６】
図３（ａ）はストロボユニット２の展開された状態を示す前面斜視図で、図３（ｂ）は同状態の背面斜視図である。
【００１７】
第１軸４はカメラ本体に保持されおり、リンク部材５は第１軸４によってカメラ本体に対して回動可能に結合されている。第２軸６はリンク部材５に保持されており、発光部７は第２軸６によってリンク部材５に対して回動可能に結合されている。
【００１８】
発光部７はキセノン管、反射傘、フレネルレンズ等から構成される発光ユニット８と発光ユニット８を収納する保持部材９から構成されている。発光ユニット８には発光ユニット８に電力の供給を行うフレキシブル基板１０が接続されている。フレキシブル基板１０は保持部材９に設けられた開口を通過して、リンク部材５とフレキカバー１１の間を通過してカメラ本体１内部に設けられたストロボ駆動基板（不図示）に結合される。
【００１９】
図４（ａ）は展開された状態のストロボユニット２を真横から見た断面図である。
【００２０】
第１軸４を挿通した第１トーションばね１２は片端をカメラ本体１にもう片端をリンク部材５に係合され、リンク部材５を第１軸４中心に反時計回りに付勢している。付勢されたリンク部材５は係止部５ａがカメラ本体１に当接して図４に示す位置で保持される。
【００２１】
第２軸６を挿通した第２トーションばね１３は片端をリンク部材５にもう片端を発光部７に係合され、発光部７を第２軸６中心に時計回りに付勢している。付勢された発光部７は後述する係止部によって、図４に示す位置で保持される。
【００２２】
図４（ｂ）は収納された状態のストロボユニット２を真横から見た断面図である。図４（ａ）の状態からユーザーが発光部７を押し下げると、第１、第２トーションばねの付勢方向に抗ってリンク機構が折りたたまれ、図示しないロックレバーが保持部材に設けられた係合部９ａに係合して、図４（ｂ）に示す状態が保持される。
【００２３】
次に、ストロボユニットの防滴機構について説明する。
【００２４】
図１は保持部材９に設けられた開口部における断面図で、図１（ａ）はストロボが収納された状態、図１（ｂ）は展開された状態をそれぞれ示している。
【００２５】
第２軸６はリンク部材５に固定保持されており、リンク部材５に対して回動することはできない。第２軸６は周りをゴム製のシャッター部材１４で覆われて一体的に形成されており、シャッター部材には第１の突起部１４ａおよび第２の突起部１４ｂが設けられている。第２軸６およびシャッター部材１４は保持部材９に設けられた開口近傍に位置しており、フレキシブル基板１０は保持部材９の開口から外に出る際、保持部材９とシャッター部材１４の間を通過する。
【００２６】
図１（ａ）に示す、ストロボが収納された状態においては保持部材９とシャッター部材１４の間にはフレキシブル基板１０の厚みよりも広い隙間が開いており、ストロボが展開する際もフレキシブル基板１０は自由に動くことができる。
【００２７】
ストロボの展開動作が行われると、前述の通りリンク部材５と第２軸６およびシャッター部材１４は一体的に動くため、第２トーションばね１３による展開に応じて、シャッター部材１４は保持部材９に対して相対的に図の反時計回りに回動する。
【００２８】
そして、図１（ｂ）に示すストロボが展開完了した状態においては、シャッター部材１４の第１の突起部１４ａが保持部材９に接近し、保持部材９とシャッター部材１４の間隔は略フレキシブル基板１０の厚みとなる。
【００２９】
一方、フレキシブル基板１０が通過しない方の保持部材９とシャッター部材１４の隙間では、第２の突起部１４ｂと保持部材９が当接する。
【００３０】
このように、ストロボが展開した状態においてはシャッター部材１４が保持部材９に設けられたフレキシブル基板１０用の開口を塞ぐため、発光部７の内部に水滴が侵入しづらくなり、防滴性能を向上させることができる。
【００３１】
また、ストロボの展開動作において、ストロボが展開完了する直前までは、フレキシブル基板１０が通過する保持部材９とシャッター部材１４との隙間はフレキシブル基板１０の厚みよりも広くなっており、フレキシブル基板１０は自由に動くことができる。
【００３２】
図５（ａ）は一体的に成形された第２軸６およびシャッター部材の単品斜視図である。
【００３３】
第１の突起部１４ａの両側には第１の突起部１４ａよりも高い第３の突起部１４ｃがそれぞれ設けられており、フレキシブル基板１０は両第３の突起部１４ｃの間を通過する。
【００３４】
図５（ｂ）はフレキシブル基板１０が通過しない第３の突起部１４ｃでの断面図で、ストロボが展開位置にある状態を示す。この断面では第３の突起部１４ｃは保持部材９に当接している。前述した、第２トーションばね１３の付勢による発光部７の回動の係止はこの第３の突起部１４ｃと保持部材の当接によって行われる。
【００３５】
断面図１（ｂ）において、第２の突起部１４ｂがフレキシブル基板１０に対して弱い力で接触しているのに対し、断面図５における第３の突起部１４ｃは保持部材に対して弾性変形しながら積極的に当接している。そのため、断面図１（ｂ）におけるフレキシブル基板１０は圧接挟持されることなく、保持部材９とシャッター部材１４の間にあるため、繰り返し展開・収納を行ってもフレキシブル基板１０が受けるストレスは小さい。
【００３６】
以上のような構成をとることにより、ストロボが展開された状態においては発光部９内への水滴の侵入を防ぎ、ストロボの展開・収納動作時において、フレキシブル基板１０が受ける屈曲・伸展時のストレスを極力抑えることが可能となる。
【符号の説明】
【００３７】
１  カメラ本体、４  第１軸、５  リンク部材、６  第２軸、８  発光ユニット、
９  保持部材、１０  フレキシブル基板（電気配線）、１４  シャッター部材
【図１】
2017125980.tif 000003
【図２】
2017125980.tif 000004
【図３】
2017125980.tif 000005
【図４】
2017125980.tif 000006
【図５】
2017125980.tif 000007